(57)【要約】【課題】超砥粒砥石車を高性能で安価に整形できる砥石車整形機および砥石車の製造方法を提供する。【解決手段】砥石車整形機１は砥石車１２を回転保持する主軸台７と、ツルーイングロール１３用のツルーイング軸８と、ドレッシングロール１４用のドレッシング軸９と、ツルーイング軸８とドレッシング軸９を回転対称に配置し保持する工具軸台６とを備える。砥石車１２の整形はツルーイングロール１３を砥石車側に割出しし、砥石車１２とツルーイングロール１３を相対運動させてツルーイングし、工具軸台６を旋回させてドレッシングロール１４を砥石車側に割出しし、砥石車１２とドレッシングロール１４を相対運動させてドレッシングする。【選択図】図１
2011104676.tif 000002
【特許請求の範囲】
【請求項１】
砥石車を回転自在に保持する主軸と、前記砥石車を整形する工具を装着する工具軸を複数備えた工具軸台と、前記工具軸台を旋回することで前記工具軸を前記砥石車に対して割出す割出手段と、前記砥石車の外周に前記工具を接触させて相対運動させる送り手段と、を備え、
前記工具軸の１軸をツルーイング軸としツルーイングロールを装着し、他の工具軸の１軸をドレッシング軸としドレッシングロールを装着したことを特徴とする砥石車整形機。
【請求項２】
請求項１に記載の砥石車整形機において、前記砥石車がレジンボンドダイヤモンド砥石またはレジンボンドＣＢＮ砥石であり、前記ツルーイングロールがダイヤモンドロールであり、前記ドレッシングロールが軟鋼ロールであることを特徴とする砥石車整形機。
【請求項３】
請求項１に記載の砥石車整形機を用いた砥石車の製造方法であって、
砥石コアの外周にダイヤモンド砥粒またはＣＢＮ砥粒をレジンボンドで固めた砥石層を形成してなる砥石車を前記主軸に保持させて回転させ、
前記工具台を旋回させて前記ツルーイング軸を前記砥石車に対して割出すと共に、前記ツルーイングロールを前記砥石車よりも高周速で回転させ、
前記砥石車に対して前記ツルーイングロールを相対移動させることにより前記砥石車に対してツルーイングを施し、
前記工具台を旋回させて前記ドレッシング軸を前記砥石車に対して割出すと共に、前記ドレッシングロールを前記砥石車よりも低周速で回転させ、
前記砥石車に対して前記ドレッシングロールを相対移動させることにより前記砥石車に対してドレッシングを施す
ことを特徴とする砥石車の製造方法。
【発明の詳細な説明】
【技術分野】
【０００１】
本発明は、研削用砥石車の製造における砥石車の外周を整形する整形機に関するもので、詳しくは、砥石車の研削作用面のツルーイングとドレッシングを行う砥石車整形機に関するものである。また、この砥石車整形機を用いた砥石車の製造方法に関するものである。
【背景技術】
【０００２】
超砥粒レジンボンド砥石車は、コアの外周に砥石層を接合した後に所望の概略形状に形成しただけの状態で出荷される場合と、さらに、砥石車外周面をツルーイングし砥石車の取付基準穴と同軸の研削作用面を形成した状態で出荷される場合の２通りがある。
このような砥石を購入したユーザは、前者の砥石車を初めて使用する場合、砥石車を所望の研削性能を発揮できるように、研削盤上でツルーイングにより研削作用面を形成し、ドレッシングによりボンドを除去し砥粒を突き出させた後に、研削加工に使用する。後者の砥石車を初めて使用する場合でも、ユーザは砥石車が所望の研削性能を発揮できるように研削盤上でドレッシングを実施した後に、研削加工に使用する。
【０００３】
前者の砥石車を整形する場合の、従来の整形方法を図３に基づき説明する。
図３ａに示すように、砥石車整形機３０の主軸２０と心押し台２１により冶具２６を介して砥石車１２を保持し、ツルア軸２５にツルーイングロール１３を装着する。ツルーイングロールの消耗を少なくして砥石車を効率的に除去するため、ツルーイングロールの周速度が砥石車周速度より高速になるように設定し、双方を回転しながら接触させつつ砥石台２２とテーブル２３を相対運動させて所望の形状にツルーイングする。その後、図３ｂに示すように、砥石車１２を研削盤３１の砥石軸３２に装着し、主軸３３と心押し台３４により軟鋼ロール２７を保持し、砥石車の周速度が軟鋼ロール２７の周速度より高速になるように軟鋼ロール２７と砥石車１２の双方を回転させながら接触させて、軟鋼ロール２７を研削することで所望の砥粒突出し量にドレッシングして砥石車を整形する。
【０００４】
上記の背景技術は、一般的な事項であり、本出願人は出願時点においてこの背景技術を特定する記載がなされた文献を特に知見していない。
【発明の概要】
【発明が解決しようとする課題】
【０００５】
このように砥石車を初めて使用する時に砥石車にツルーイングやドレッシングが必要であると、砥石車の交換時の工程が増えライン停止時間が長くなる。
また、従来のツルーイングとドレッシングを施した砥石車の整形では、ツルーイングを終了しドレッシングを開始する時に砥石車の付替えが必要で、段取りに時間を要する。さらに、付替え時の心ずれによるツルーイング表面とドレッシング表面の心ずれによる、砥石車の円周方向でのドレッシング量のバラツキが発生し、高精度に砥石車を整形できない。
本発明は上記事情に鑑みてなされたものであり、砥石車交換時のツルーイングとドレッシングが不要な整形精度の高い砥石車を製造するために、ツルーイングとドレッシングを効率よく高精度に実施可能な砥石車整形機、およびこれを用いた砥石車の製造方法を提供することを目的とする。
【課題を解決するための手段】
【０００６】
上記の課題を解決するため、請求項１に係る発明の構成上の特徴は、砥石車を回転自在に保持する主軸と、前記砥石車を整形する工具を装着する工具軸を複数備えた工具軸台と、前記工具軸台を旋回することで前記工具軸を前記砥石車に対して割出す割出手段と、前記砥石車の外周に前記工具を接触させて相対運動させる送り手段と、を備え、
前記工具軸の１軸をツルーイング軸としツルーイングロールを装着し、他の工具軸の１軸をドレッシング軸としドレッシングロールを装着したことである。
【０００７】
上記の課題を解決するため、請求項２に係る発明の構成上の特徴は、前記砥石車がレジンボンドダイヤモンド砥石またはレジンボンドＣＢＮ砥石であり、前記ツルーイングロールがダイヤモンドロールであり、前記ドレッシングロールが軟鋼ロールであることである。
【０００８】
上記の課題を解決するため、請求項３に係る発明の構成上の特徴は、請求項１に記載の砥石車整形機を用いた砥石車の製造方法であって、
砥石コアの外周にダイヤモンド砥粒またはＣＢＮ砥粒をレジンボンドで固めた砥石層を形成してなる砥石車を前記主軸に保持させて回転させ、
前記工具台を旋回させて前記ツルーイング軸を前記砥石車に対して割出すと共に、前記ツルーイングロールを前記砥石車よりも高周速で回転させ、
前記砥石車に対して前記ツルーイングロールを相対移動させることにより前記砥石車に対してツルーイングを施し、
前記工具台を旋回させて前記ドレッシング軸を前記砥石車に対して割出すと共に、前記ドレッシングロールを前記砥石車よりも低周速で回転させ、
前記砥石車に対して前記ドレッシングロールを相対移動させることにより前記砥石車に対してドレッシングを施すことである。
【発明の効果】
【０００９】
請求項１に係る発明によれば、砥石車を主軸に保持してツルーイングロールを砥石車の位置に割出してツルーイングする。次に、工具軸台を旋回してドレッシングロールを砥石車の位置に短時間で精度良く割出し、ドレッシングする。ツルーイングとドレッシングを砥石車の付替えなしに連続してできるので心ずれが発生せず、砥石車の円周方向でのドレッシング量のバラツキがない。ツルーイングとドレッシングの切替が工具軸台の旋回で短時間に可能である。すなわち、高精度な砥石車の整形が効率良く実現できる。
ツルーイング軸とドレッシング軸を専用として設けるので、砥石車の形状を決定するツルーイング軸は高精度に回転できる構造とし、精度を要しないドレッシング軸は安価な構成とすることが可能で砥石車整形機のコストを低減できる。
【００１０】
請求項２に係る発明によれば、レジンボンドダイヤモンド砥石車またはレジンボンドＣＢＮ砥石車をダイヤモンドロールによるツルーイングで高精度に成形し、安価な軟鋼ロールによりボンド層と保持力の弱い砥粒を除去したドレッシングが可能なので、高性能なレジンボンドダイヤモンド砥石車またはレジンボンドＣＢＮ砥石車を安価に整形できる。
【００１１】
請求項３に係る発明によれば、レジンボンドダイヤモンド砥石車またはレジンボンドＣＢＮ砥石車を、高速回転のダイヤモンドロールでツルーイング形成するため、ダイヤモンドロールの消耗が少ないツルーイングが可能である。低速回転の軟鋼ロールによりドレッシングが可能なので、砥粒への負荷が小さく過剰な砥粒の脱落がない高性能なドレッシングが可能である。
【図面の簡単な説明】
【００１２】
【図１】：砥石車整形機の構成を示す概略図である。
【図２】：図１の側面図である。
【図３】：従来の砥石車整形方法を示す概略図である。
【発明を実施するための形態】
【００１３】
以下、本発明の砥石車整形機およびこれを用いた砥石車の製造方法を具体化した実施形態について、図１、図２を参照しつつ説明する。
図1、図２において、ベッド２上面にＸ軸方向に運動する工具軸台送り装置４と、工具軸台送り装置４の運動方向と直交するＺ軸方向へ運動するテーブル送り装置３とが設けられている。工具軸台送り装置４には、工具軸台６が旋回装置５によりＸ軸およびＺ軸と直交する鉛直方向のＶ軸回りに旋回可能に保持されている。工具軸台６の端部にはツルーイング軸８が備えられ、反対の端部にはドレッシング軸９がツルーイング軸８と回転対称に備えられている。ツルーイング軸８がツルーイング用モータ１０により回転され軸端にツルーイングロール１３が装着される。ドレッシング軸９がドレッシング用モータ１１により回転され軸端にドレッシングロール１４が装着される。テーブル送り装置３上に保持された主軸７は、砥石車１２を回転自在に支持し、図示していない主軸用モータにより砥石車１２を回転させる。
ツルーイングロール１３は、円盤状コアの外周に例えば柱状のダイヤモンドを埋設した構造であり、ドレッシングロール１４は円筒状の軟鋼である。
【００１４】
次に、このような砥石車整形機１を用いた砥石車１２の製造方法について説明する。
まず、ダイヤモンド砥粒、レジンボンド、必要な充填材等を混合し、これを焼結して砥石層のセグメントを製造し、この砥石層セグメントを円盤状のコアの外周に接合する。なお、この工程は公知であるので詳細は省略するが、このようなセグメントタイプに限られるものではなく、種々の方法が採用可能である。
続いて、砥石車整形機１を用いて砥石車１２の整形を行う。砥石車１２を、砥石車１２の研削盤の砥石軸への取付基準穴と、主軸７の回転軸中心が同軸になるように、主軸７に取り付けた後に、ツルーイングとドレッシングを連続して実施する。
【００１５】
ツルーイングは以下のように行う。
ツルーイングロール１３を旋回装置５により砥石車１２の位置へ割出し、ツルーイングロール１３と砥石車１２を回転させる。このときツルーイングロール１３の回転周速度は砥石車１２の回転周速度よりも大きくする。この状態で工具軸台６を工具軸台送り装置４によりツルーイングロール１３が砥石車１２に接触する位置までＸ軸方向に前進させる。次に、砥石車１２が、ツルーイングロール１３に接触し研削作用面を除去されながら、Ｚ軸方向に砥石車１２からツルーイングロール１３が抜ける位置まで、テーブル送り装置３により送られる。次に、工具軸台送り装置４によりツルーイングロール１３を所定の量前進させた後に、砥石車１２が、前工程と反対方向へ、砥石車１２からツルーイングロール１３が抜ける位置まで送られる。この動作を、砥石車１２の研削作用面全面にツルーイングロール１３が接触するまで続けてツルーイングを行う。
【００１６】
ドレッシングは以下のように行う。
工具軸台６を工具軸台送り装置４によりＸ軸方向に後退させた後に、工具軸台６を旋回装置５により旋回し、ドレッシングロール１４を砥石車１２の位置へ割出しする。砥石車１２とドレッシングロール１４を回転させる。このときドレッシングロール１４の回転周速度は砥石車１２の回転周速度よりも小さくする。この状態で工具軸台送り装置４によりドレッシングロール１４を前進させ、砥石車１２に接触させてドレッシングする。
【００１７】
以上の構造によれば、砥石車１２を主軸７に取り付けたままツルーイングとドレッシングを連続して実施できるので、ツルーイング時とドレッシング時の心ずれが発生しない。そのため、砥石車１２の全周にわたって均一な深さでドレッシングができ、研削性能が高い砥石車１２を整形できる。
ツルーイングとドレッシングの専用軸を各々備えているので、それぞれに最適な回転速度と動力と回転精度を備えた軸構成とでき、性能とコストの両立が可能である。すなわち、ツルーイング軸８は高精度を要求されるのに対して、ドレッシング軸９はツルーイング軸８に比較してそれ程高精度を必要としないので、ツルーイング軸８を高精度とする一方でドレッシング軸９を安価なものとすることができる。また、ツルーイング軸８は主軸７に対して高速で回転する必要があるが、ドレッシング軸９は主軸７よりも低速でよいので、この点でもドレッシング軸９を安価なものとすることが可能である。
ツルーイングとドレッシングを工具軸台の旋回により短時間に切替るので、効率よく砥石車の整形ができる。
【００１８】
さらに、ダイヤモンド砥石によりツルーイングを正確に実施し、軟鋼ロールでレジンボンド層と保持力の弱い砥粒を除去してドレッシングができ、形状が正確で切れ味の良い砥石を整形できる。
レジンボンドダイヤモンド砥石車を高品質、低コストで製造できる。
なお、上述の実施の形態では、レジンボンドダイヤモンド砥石車について説明したが、本発明はレジンボンドＣＢＮ砥石車にも適用できることはいうまでもない。
【符号の説明】
【００１９】
１：砥石車整形機  ３：テーブル送り装置  ４：工具軸台送り装置  ５：旋回装置  ６：工具軸台  ７：主軸  ８：ツルーイング軸  ９：ドレッシング軸  １２：砥石車  １３：ツルーイングロール  １４：ドレッシングロール  
【図１】
2011104676.tif 000003
【図２】
2011104676.tif 000004
【図３】
2011104676.tif 000005